(57)【要約】【課題】可動部材に従来より安定した動作を行わせることが可能な遊技機を提供する。【解決手段】本発明の遊技機１０は、固定ベース３４に支持されて、駆動源からの動力を受けることで第１可動面内を移動する第１装飾部材３１と、固定ベース３４に支持されて、第１装飾部材３１からの動力を受けることで従動する支持従動部材４２とを備える。また、支持従動部材４２は、第１装飾部材３１の第１可動面から外れる方向への移動を規制する。【選択図】図７
2019037530.tif 000002
【特許請求の範囲】
【請求項１】
ベース部材に支持されて駆動源から動力を受けて第１可動面内を移動する第１可動部材と、前記ベース部材に支持され、前記第１可動部材から動力を受けて従動する支持従動部材とを備え、
前記支持従動部材は、前記第１可動部材の前記第１可動面から外れる方向への移動を規制する遊技機。
【請求項２】
前記支持従動部材は、前記第１可動部材の前記第１可動面内の移動範囲を制限しないように前記第１可動部材に連結されている請求項１に記載の遊技機。
【請求項３】
前記第１可動部材は、前記支持従動部材なしでも前記ベース部材を含む他の部材によって前記第１可動面から外れる方向への移動が規制される請求項１又は２に記載の遊技機。
【請求項４】
前記ベース部材に支持され、前記第１可動部材から動力を受けて従動すると共に、
前記第１可動部材の前記第１可動面内の移動範囲を制限するように前記第１可動部材に連結されている制限従動部材を備える請求項１乃至３の何れか１の請求項に記載の遊技機。
【請求項５】
前記支持従動部材は、前記第１可動部材と前記制限従動部材の両方に連結されて、それら第１可動部材及び制限従動部材の前記第１可動面から外れる方向への移動を規制する請求項４に記載の遊技機。
【請求項６】
前記第１可動部材は、複数の第１可動構成部材を中間連結部にて連結してなり、
前記中間連結部は、前記第１可動構成部材同士を、互いに前記第１可動面から外れる方向への移動を規制した状態に連結している請求項１乃至５の何れか１の請求項に記載の遊技機。
【請求項７】
前記複数の第１可動構成部材を連結してなる前記第１可動部材が、前記ベース部材のうち互いに離れた２つの支持部の間に架橋されている請求項６に記載の遊技機。
【請求項８】
複数の前記支持従動部材が共通の前記第１可動部材に連結されている請求項１乃至７の何れか１の請求項に記載の遊技機。
【請求項９】
複数の前記第１可動部材が、共通の前記支持従動部材に連結されている請求項１乃至８の何れか１の請求項に記載の遊技機。
【請求項１０】
前記支持従動部材は、前記ベース部材に回転可能に支持されると共に、その回転半径方向に離れた複数箇所で、前記ベース部材により回転軸方向への移動を規制されている請求項１乃至９の何れか１の請求項に記載の遊技機。
【請求項１１】
前記第１可動部材及び前記支持従動部材は、前記ベース部材に回転可能に支持されると共に、それら第１可動部材及び支持従動部材の回転中心軸が異なる位置に配置されている請求項１乃至１０の何れか１の請求項に記載の遊技機。
【請求項１２】
前記第１可動部材は、前記ベース部材に直動可能に支持される一方、前記支持従動部材は、前記ベース部材に回転可能に支持されている請求項１乃至１０の何れか１の請求項に記載の遊技機。
【請求項１３】
前記第１可動部材は、前記ベース部材に回転可能に支持される一方、前記支持従動部材は、前記ベース部材に直動可能に支持されている請求項１乃至１２の何れか１の請求項に記載の遊技機。
【発明の詳細な説明】
【技術分野】
【０００１】
本発明は、ベース部材に支持されて駆動源から動力を受けて移動する可動部材を有する遊技機に関する。
【背景技術】
【０００２】
従来、この種の遊技機の一例として、演出用に装飾された可動部材が、遊技板と平行な可動面内で移動する可動演出を行うものが知られている（例えば、特許文献１参照）。
【先行技術文献】
【特許文献】
【０００３】
【特許文献１】特開２０１３−１０２９７６号公報（図１０）
【発明の概要】
【発明が解決しようとする課題】
【０００４】
しかしながら、従来の遊技機では、可動部材の動作が安定しないことがあった。
【０００５】
本発明は、上記事情に鑑みてなされたもので、可動部材に従来より安定した動作を行わせることが可能な遊技機の提供を目的とする。
【課題を解決するための手段】
【０００６】
上記目的を達成するためになされた請求項１の発明は、ベース部材に支持されて駆動源から動力を受けて第１可動面内を移動する第１可動部材と、前記ベース部材に支持され、前記第１可動部材から動力を受けて従動する支持従動部材とを備え、前記支持従動部材は、前記第１可動部材の前記第１可動面から外れる方向への移動を規制する遊技機である。
【図面の簡単な説明】
【０００７】
【図１】本発明の第１実施形態に係る遊技機の前面図
【図２】遊技板の前面図
【図３】発光パネルの前面図
【図４】発光パネルの分解斜視図
【図５】可動役物が合体状態の遊技機の前面図
【図６】待機状態の可動役物の前面図
【図７】待機状態の可動役物の後面図
【図８】合体状態の可動役物の後面図
【図９】可動部材の連結部分の側断面図
【発明を実施するための形態】
【０００８】
［第１実施形態］
以下、本発明の一実施形態を図１〜図９に基づいて説明する。本実施形態の遊技機１０は、図１に示した前面枠１０Ｚの後方に、図２に示した遊技板１１を備え、前面枠１０Ｚのガラス窓１０Ｗを通して遊技板１１の遊技領域Ｒ１を視認することができる。なお、以下の説明では、遊技機１０に前側から向かって右側（図１の右側）を単に「右側」といい、その反対側を単に「左側」ということとする。
【０００９】
図２に示すように、遊技領域Ｒ１は、全体をガイドレール１２で囲まれ、遊技領域Ｒ１の左上部に進入口１２Ａを備える。そして、遊技機１０の前面右下の発射ハンドル２８（図１参照）を回動操作すると、その操作量に応じた発射強度で前面皿２７内の遊技球が進入口１２Ａを通して遊技領域Ｒ１に打ち込まれる。
【００１０】
遊技領域Ｒ１には、遊技板１１を貫通する表示開口１１Ｈが形成され、装飾枠２３が前方から嵌め込まれている。その装飾枠２３の上辺部と両側辺部は、遊技板１１の前面から遊技球の直径程度の大きさで突出している。これにより、遊技球が装飾枠２３の内側に進入することを規制すると共に、遊技領域Ｒ１を上側遊技領域、下側遊技領域、左側遊技領域及び右側遊技領域に分けている。
【００１１】
また、遊技板１１の後方には、表示装置１３が備えられ、その表示装置１３の液晶表示画面１３Ｇが装飾枠２３の内側の演出窓２３Ｗを通して前方に臨んでいる。
【００１２】
装飾枠２３の下辺部には、遊技球が転動可能な転動ステージ２４が備えられ、装飾枠２３の左辺部から転動ステージ２４に向かって延びるワープ管２４Ｒを通して遊技球が転動ステージ２４上に進入可能になっている。また、転動ステージ２４は、前縁部に転落防止壁２４Ｗを有し、転動ステージ２４の左右方向の中央とその両横部分には、転落防止壁２４Ｗを切除してなる排出口２４Ａ，２４Ｂ，２４Ｂが形成されている。そして、転動ステージ２４を転動する遊技球が中央に向かって転動して、何れかの排出口２４Ａ，２４Ｂ，２４Ｂから装飾枠２３外に排出される。
【００１３】
中央の排出口２４Ａの真下には、第１始動入賞口１４Ａと第２始動入賞口１４Ｂとアウト口１６とが上から順番に間隔を開けて並べられている。第１始動入賞口１４Ａは、遊技領域Ｒ１の前面から突出する突部の上面に常時開口したポケット構造をなしている。
【００１４】
第２始動入賞口１４Ｂは、遊技領域Ｒ１の前面に開口し、通常は、その開口が回動扉１４Ｔにて閉じられていて、所定条件の成立に起因して回動扉１４Ｔが開いて内部から図示しない舌片が突出して、その舌片をガイドにして遊技球が第２始動入賞口１４Ｂに取り込まれるようになっている。
【００１５】
アウト口１６は、遊技領域Ｒ１の前面に開口すると共に、遊技領域Ｒ１全体の最下端部に位置し、第１始動入賞口１４Ａ等のいずれの入賞口にも入賞しなかった遊技球がアウト口１６に流入する。なお、第２始動入賞口１４Ｂ及びアウト口１６は、遊技領域Ｒ１の前面から遊技球１つ分の間隔を開けて配置された前面カバー１４Ｄによって前方から覆われている。
【００１６】
第１始動入賞口１４Ａの左側には、２つの普通入賞口２０，２０が備えられ、第１始動入賞口１４Ａの右側には、大入賞口１５と普通入賞口２０とが備えられている。普通入賞口２０は、第１始動入賞口１４Ａと同様のポケット構造をなしている。
【００１７】
大入賞口１５は、遊技領域Ｒ１の前面に開口した横長の長方形をなし、回動扉１５Ｔによって常時閉塞されている。そして、後述する当否判定の当りに起因して、回動扉１５Ｔが下端部を中心に回動して前傾姿勢になり、多量の遊技球が大入賞口１５に取り込まれる。また、大入賞口１５の下方には、右側遊技領域を流下してきた遊技球を第２始動入賞口１４Ｂに案内する転動ガイド部１５Ｓが備えられている。また、大入賞口１５の上方には、右側遊技領域の左右方向の一端側に始動ゲート１８が備えられている。なお、遊技領域Ｒ１の略全体には、図示しない複数の障害釘が分散配置されている。
【００１８】
上記した各入賞口１４Ａ，１４Ｂ，１５，２０に遊技球が入賞する度に、所定複数の遊技球が賞球として前面皿２７（図１参照）に払い出される。また、大入賞口１５への入賞に対する賞球数は、それ以外の入賞口１４Ａ，１４Ｂ，２０への入賞に対する賞球数より多くなっている。しかしながら、大入賞口１５は、前述したように通常閉じている。そこで、遊技者は、大入賞口１５が開放されることを願いながら以下のようにして遊技を楽しむことができる。
【００１９】
即ち、第１及び第２の始動入賞口１４Ａ，１４Ｂに遊技球が入賞すると、例えば、所定の確率で当りになる抽選（以下、これを「特図判定」という）が行われ、その抽選結果を報知するために、液晶表示画面１３Ｇに第１〜第３の特別図柄１３Ａ，１３Ｂ，１３Ｃが横並び状態に表示される。各特別図柄１３Ａ，１３Ｂ，１３Ｃは、それぞれ複数種類で構成されていて、それらが所定の変動期間に亘ってスクロール表示された後、停止表示されて、その際の第１〜第３の特別図柄の図柄組合が、当りの図柄組合（例えば、ぞろ目、）か否かにより、判定結果が当り（これを「大当り」という）であるか否か報知される。そして、大当りになると、所定複数回数、所定開放期間に亘って回動扉１５Ｔが開く大当り遊技が実行されて、大入賞口１５への多量の遊技球の入賞が可能になる。
【００２０】
上記した大当りを引き当てるために、遊技者は、第１及び第２の始動入賞口１４Ａ，１４Ｂへの入賞をねらって打つことになる。ここで、第１始動入賞口１４Ａは、左側遊技領域を流下した遊技球が入賞し易く、第２始動入賞口１４Ｂは、右側遊技領域を流下した方が入賞し易い。また、前述したように第２始動入賞口１４Ｂは、通常は、閉じている。第２始動入賞口１４Ｂを開くには、始動ゲート１８を遊技球が通過する必要がある。始動ゲート１８を遊技球が通過すると、例えば、１／２の確率で当りになる抽選（以下、これを「普図判定」という）が行われる。そして、液晶表示画面１３Ｇに１グループの普通図柄１３Ｄが所定の変動期間に亘って変動表示された後、当りか外れか（例えば、奇数か偶数か）の普通図柄を停止表示することで普図判定の判定結果を報知する。そこで当りなると、所定の開放期間に亘って回動扉１４Ｔが開き、第２始動入賞口１４Ｂへの遊技球の入賞が可能になる。ところが、通常状態では、回動扉１４Ｔの開放期間が極めて短いために第２始動入賞口１４Ｂへの遊技球の入賞は、極めて困難になっている。これに対し、後述する「時短状態」になると、回動扉１４Ｔの開放期間が通常状態より長くなって、第２始動入賞口１４Ｂへの入賞が容易になる。
【００２１】
なお、始動ゲート１８の通過によって発生する「普図判定の当否判定権」も、第１又は第２の始動入賞口１４Ａ，１４Ｂへの入賞によって発生する「特図判定の当否判定権」も、共に４つまで保留記憶されるようになっていて、その保留数は、遊技板１１の前面のうち遊技領域Ｒ１外に備えた点灯表示部１４Ｈ，１８Ｈの点灯数によって報知される。
【００２２】
大当りには、特典が付いているものと付いていないものとがある。特典の１つが上述の「時短」であって、大当りに「時短」特典が付いていると（即ち、「時短付き大当り」になると）、大当り遊技の実行後に、普図判定の変動期間が短くなると共に第２始動入賞口１４Ｂの回動扉１４Ｔの開放期間が長くなる。これにより、普図判定の当りが発生する頻度が高くなると共に、第２始動入賞口１４Ｂに入賞し易くなる。
【００２３】
よって、本実施形態の遊技機１０では、時短付きの大当りを引き当てるまでは、遊技球を左側遊技領域に流下させる左打ちを行い、時短付きの大当りを引き当ててから遊技球を右側遊技領域に流下させる右打ちを行う打ち方が好ましく、そのような打ち方を示唆する画像が液晶表示画面１３Ｇに表示されるようになっている。
【００２４】
また、特典には、「確変」付きの大当りもある。確変付き大当りになると、大当り遊技の実行後に、特図判定で大当りになる確率が通常時の確率（例えば、１／４００）に比べて高確率（１／２００）になる。また、「確変」には、必ず「時短」が付加されていて、所定条件に起因して「確変」のみが消滅して「確変なしの時短状態」になることがある。さらに、大当りに上記特典が付くか否かは抽選で行われ、特図判定が変動表示後に停止したときの図柄組合が「７７７」である場合に、確変・時短付きの大当りとなるように設定されている。
【００２５】
さらに、前述した特図図柄１３Ａ，１３Ｂ，１３Ｃが変動表示された場合は、その後、例えば、左、右、中央の特別図柄１３Ａ，１３Ｃ，１３Ｂの順番に停止する。よって、大当りになる場合は、左右の特別図柄１３Ａ，１３Ｃが同じ図柄で停止したリーチ状態を経て、中央の特別図柄１３Ｂも同じ図柄（即ち、ぞろ目）になる。そして、特図判定の報知を行う間に、特別図柄以外に大当りを予感させる演出用図柄が表示されて遊技者の気持ちを高揚させる。また、遊技機１０の前面の左下に備えた操作ハンドル２９（図１参照）を操作することで演出用図柄の内容が変化し、このことによっても遊技者の気持ちを高揚させる。
【００２６】
本実施形態の遊技機１０では、液晶表示画面１３Ｇによる画像演出以外に、図２に示した発光パネル７０による光表示演出が行われる。その発光パネル７０は、装飾枠２３の上辺部に備えられている。即ち、装飾枠２３には、左右の両縁部の上端寄り位置（進入口１２Ａより僅かに下側となる高さの位置）の間を梁部材２３Ａが略水平に延びて、装飾枠２３の上辺部の底部を構成している。また、梁部材２３Ａの左寄り位置から上方に起立部材２３Ｂが立ち上がり、その起立部材２３Ｂの上端部と梁部材２３Ａの右側端部との間が円弧状の上縁部材２３Ｃにて連絡されている。そして、梁部材２３Ａと起立部材２３Ｂと上縁部材２３Ｃとで構成される上辺フレーム２３Ｄの内側に発光パネル７０が組み込まれている。
【００２７】
なお、梁部材２３Ａの左側端部の上側部分は、遊技領域Ｒ１の前面から遊技球１つ分の間隔をあけて前方から前面カバー２３Ｅにて覆われている。そして、進入口１２Ａから遊技領域Ｒ１に進入した遊技球が、起立部材２３Ｂに衝突すると、前面カバー２３Ｅの後方を通過して左側遊技領域へと流下する。また、上縁部材２３Ｃとガイドレール１２との間は、遊技球１つ分の幅をなして遊技領域Ｒ１の右側遊技領域に繋がっている。そして、起立部材２３Ｂの上方を通過した遊技球が右側遊技領域を流下するようになっている。
【００２８】
図４に示すように、発光パネル７０は、「大当り」という文字をなした発光用溝部７１Ａを後面に有する第１透光部材７１の後側に、「ＴＨＥ  ７７７」という文字をなした発光用突部７２Ａを前面に有する第２透光部材７２を重ねて備えている。また、第１透光部材７１の下面に帯状の第１発光基板７３が対向配置され、第２透光部材７２の後面に第２透光部材７２と略同一形状の第２発光基盤７４が対向配置されている。
【００２９】
そして、第１発光基板７３の上面の複数のＬＥＤ７３Ｌの光が、第１透光部材７１に下面から入光して発光用溝部７１Ａが発光し、第２発光基盤７４の前面の複数のＬＥＤ７４Ｌの光が、第２透光部材７２に後面から入光して発光用突部７２Ａが発光するようになっている。
【００３０】
また、第１透光部材７１と第２透光部材７２との間には、前側から順番に、遮光シート７５，区画シート７６、拡散シート７７が重ねて配置されている。遮光シート７５は、前方からの光によって第２透光部材７２が照射されることを規制する。区画シート７６は、透過性のシートに黒色の遮光層を積層してなり、その遮光層の一部を発光用突部７２Ａと同一形状に除去して透光部７６Ａを有した構造をなしている。拡散シート７７は、曇りガラスと同様の乳濁色をなしていて、第２発光基盤７４のＬＥＤの光を拡散する役割を果たす。また、上辺フレーム２３Ｄの内側には、透明な保護シート２３Ｓが張られている。
【００３１】
そして、特図判定の結果が、確変が付かない通常の大当りであった場合には、第１発光基盤７２のＬＥＤ７２Ｌが発光する一方、第２発光基盤７４のＬＥＤ７４Ｌは発光せず、発光パネル７０に「大当り」という光文字が表示される光表示演出が行われる。また、特図判定の結果が確変付きの大当りであった場合には、第２発光基盤７４のＬＥＤ７４Ｌが発光する一方、第１発光基盤７２のＬＥＤ７２Ｌは発光せず、発光パネル７０に「ＴＨＥ  ７７７」という光文字が表示される光表示演出が行われる。
【００３２】
本実施形態の遊技機１０では、上述した液晶表示画面１３Ｇによる画像演出、発光パネル７０による光表示演出に加え、図５に示した可動役物３０による可動演出が行われる。可動役物３０は、遊技板１１と表示装置１３とに前後方向から挟まれる位置に第１〜第３の可動部材３１，３２，３３を備え、それら第１〜第３の可動部材３１，３２，３３を、図５に示すように演出窓２３Ｗの内側で合体させた合体状態と、図６に示すように演出窓２３Ｗの外側に分散させて、視認困難な遊技板１１の外縁部後方位置に退避させた待機状態とに変化させる。
【００３３】
具体的には、図６に示すように、第１装飾部材３１は、長尺状をなし、第２装飾部材３２，３３は、第１装飾部材３１と略同一の幅で長さが概ね１／２の長尺状をなしている。そして、図６に示した待機状態では、第１装飾部材３１は、略水平に延びた状態になって演出窓２３Ｗより上方で遊技板１１の後方に隠れ、第２装飾部材３２は、演出窓２３Ｗの右側方で遊技板１１の後方に隠れ、第３装飾部材３３は、演出窓２３Ｗの左側方で遊技板１１の後方に隠れる。その待機状態から図６の二点差線で示すように第２装飾部材３２が下端部を中心に演出窓２３Ｗ側に回動して左上がりの傾斜姿勢になると共に、それに連動して第１装飾部材３１が、左端部を中心に演出窓２３Ｗ側に回動して左上がりの傾斜姿勢になり、第１と第２の装飾部材３１，３２が平行かつ上下方向に離間した準備状態になる。この準備状態では、第３装飾部材３３は、待機状態と同じ位置に維持される。そして、準備状態から第１装飾部材３１が斜め右下に略平行に移動して第１装飾部材３１の下縁部の右側部分に第２装飾部材３２の上縁部が接合され、その動作に連動して第３装飾部材３３が上端部を中心に演出窓２３Ｗ側に回動して左上がりの傾斜姿勢になり、第１装飾部材３１の下縁部の左側部分に第３装飾部材３３の上縁部が接合されかつ、第３装飾部材３３の先端縁と第２装飾部材３２の先端縁とが接合されて、図５に示した合体状態になる。
【００３４】
上記可動役物３０の動作は、遊技の進行状況に応じて以下のように実行される。即ち、可動役物３０は、通常の遊技状態では待機状態になり、例えば、特図判定でリーチ状態になったことを条件にして、保留された特図判定の当否判定権に大当りが含まれている状況下で、待機状態から準備状態に移行して演出窓２３Ｗ内に出現する。そして、大当りになったときに準備状態から合体状態に移行し、その後、大当り遊技が開始されるときに、合体状態から準備状態に戻り、そして待機状態に戻る。また、リーチ後に外れになった場合には、可動役物３０は、準備状態から待機状態に戻る。
【００３５】
上述のごとく第１〜第３の装飾部材３１，３２，３３を駆動する可動役物３０の機構について以下説明する。図７には、可動役物３０を後方から見た状態が示されている。同図に示すように、可動役物３０は、門形の固定ベース３４を有し、その固定ベース３４のうち後方から見ると左側（前方から見ると右側）の第１脚部３４Ａの上端部に第１駆動源１０１（例えば、ステッピングモータ）を備える一方、その反対側の第２脚部３４Ｂの下端部に第２駆動源１０２（例えば、ステッピングモータ）を備えている。
【００３６】
第２装飾部材３２は、第１脚部３４Ａの下端部に回転支持軸体Ｐ１にて回転可能に連結されている。また、第１脚部３４Ａの上端部には、第１駆動源１０１の出力軸にギヤ連結された図示しない第１中継円板が回転可能に支持されている。その第１中継円板の回転中心から離れた位置に昇降部材３５が回転可能に連結されて垂下し、途中から演出窓２３Ｗ側の斜め下方に延びて、その下端部が第２装飾部材３２における回転中心から離れた位置に回転支持軸体Ｐ２にて回転可能に連結されている。これにより、第２装飾部材３２が第１駆動源１０１の動力を受けて回動する。なお、回転支持軸体Ｐ１は、図９（Ａ）に示すように、第１脚部３４Ａから突出する支柱１２０の先端にフランジ１２１Ｆ付きビス１２１を装着してなり、その支柱１２０には、ワッシャ１２２とフランジ１１０Ｆ付きカラー１１０とが嵌合されている。そして、支柱１２０が第２装飾部材３２の貫通孔３２Ｚ内に収まり、フランジ１１０Ｆとワッシャ１２２とが貫通孔３２Ｚの開口縁にそれぞれ宛がわれた状態になっている。このように回転支持軸体Ｐ１が構成されて、連結対象の部品同士が互いに前後動不能に連結されている。回転支持軸体Ｐ２及び後述する回転支持軸体Ｐ３〜Ｐ１２、係合軸体Ｖ１〜Ｖ７に関しても同様である。なお、係合軸体Ｖ２の構造は、係合軸体Ｖ１と若干異なるので、後に詳説する。
【００３７】
第３装飾部材３３は、第２脚部３４Ｂの上端寄り位置に回転支持軸体Ｐ５にて回転可能に連結されている。また、第２脚部３４Ｂのうち第３装飾部材３３が連結された部分より上側部分には、主動リンク３６が回転支持軸体Ｐ３にて回転可能に連結されて、第１脚部３４Ａ側の斜め上方に延びている。さらに、第２脚部３４Ｂの下端部には、第２駆動源１０２の出力軸にギヤ連結された図示しない第２中継円板が回転可能に支持されている。その第２中継円板の回転中心から離れた位置に昇降部材３８が回転可能に連結されて上方に延び、その上端部が主動リンク３６における回動中心（回転支持軸体Ｐ３）より第１脚部３４Ａから離れた位置に回転支持軸体Ｐ４にて回動可能に連結されている。これにより、主動リンク３６が第２駆動源１０２の動力を受けて図７に示した第１回転位置と、その第１回転位置より演出窓２３Ｗ側の図８に示した第２回転位置との間を回動する。
【００３８】
主動リンク３６のうち回動中心である回転支持軸体Ｐ３を挟んで、昇降部材３８との連結部分である回転支持軸体Ｐ４の反対側には、上下に延びる反転リンク４１の上端部が回転支持軸体Ｐ６にて回転可能に連結されている。そして、その反転リンク４１の下端部が、第３装飾部材３３のうち回転中心である回転支持軸体Ｐ５に対して演出窓２３の反対側に回転支持軸体Ｐ７にて回転可能に連結されている。そして、主動リンク３６が第１回転位置に配置された状態で第３装飾部材３３が回転中心から垂下された状態になり、主動リンク３６が演出窓２３側の第１回転位置に向かって下に回動する動作に連動して、第３装飾部材３３が演出窓２３側に向かって上方に回動する。
【００３９】
主動リンク３６の上端部には、第１装飾部材３１の一端部が回転支持軸体Ｐ８にて回転可能に連結されている。また、第１装飾部材３１の他端部には、従動リンク３７の上端部が回転支持軸体Ｐ９にて回転可能に連結され、その従動リンク３７の下端部が、第２装飾部材３２の回動半径方向の途中位置に回転支持軸体Ｐ１０にて回転可能に連結されている。また、主動リンク３６の回動半径（即ち、図７の符号Ｐ８・Ｐ３の間の距離）より、従動リンク３７の回動半径（即ち、図７の符号Ｐ９，Ｐ１０の間の距離）の方が長くなっている。
【００４０】
図７に示した待機状態では、主動リンク３６が第２駆動源１０２により第１回転位置に保持されて、第２装飾部材３２が第１駆動源１０１により起立姿勢に保持される。そして、第２装飾部材３２の第１装飾部材３１に対する回転中心（図７のＰ１）と、従動リンク３７の両端部の回転中心（図７のＰ９，Ｐ１０）とが、上下方向に対して略一直線に並び、第１装飾部材３１の他端部を第１脚部３４Ａの上端部の前方に重なる位置に配置される。これにより、第１装飾部材３１が略水平な姿勢で演出窓２３Ｗより上方位置に保持される。この待機状態から第１駆動源１０１により第２装飾部材３２が演出窓２３Ｗ側に回転駆動されて傾斜姿勢になり、これに伴い、従動リンク３７が、第１脚部３４Ａ側に傾いた傾斜姿勢になって、第１装飾部材３１が第２装飾部材３２に対して離間しかつ平行になった準備状態になる。また、このとき、従動リンク３７の上下方向に対する傾斜角は、主動リンク３６の上下方向に対する傾斜角より大きくなる。そして、主動リンク３６が第２駆動源１０２により第２回転位置まで回転駆動され、それに伴って従動リンク３７も回転し、第１装飾部材３１が略平行に斜め下方に移動し、図８に示すように、第１装飾部材３１の下縁部の一部と第２装飾部材３２の上縁部とが重なる。このとき、上述したように主動リンク３６に連動して第３装飾部材３３が演出窓２３側に向かって上方に回動して、第１装飾部材３１の下縁部の他の一部と第３装飾部材３３の上縁部とが重なると共に、第３装飾部材３３の先端縁と第２装飾部材３２の先端縁とが重なって前述の合体状態になる。
【００４１】
ところで、可動役物３０の可動部分の上記動作を安定させるために、以下の補助支持機構が備えられている。即ち、図７に示すように、主動リンク３６には、回転支持軸体Ｐ８を中心とする円弧状の係合溝Ｗ１が形成され、第１装飾部材３１から後方に突出する係合軸体Ｖ１が係合している。これら係合溝Ｗ１及び係合軸体Ｖ１と同様に、図７に示すように、従動リンク３７には、回転支持軸体Ｐ９を中心とする円弧状の係合溝Ｗ２に、第１装飾部材３１から突出する係合軸体Ｖ２が係合すると共に、従動リンク３７の回転支持軸体Ｐ１０を中心とする円弧状の係合溝Ｗ３に、第２装飾部材３２から突出する係合軸体Ｖ３が係合している。これらにより、第１及び第２の装飾部材３１，３２，主動リンク３６，従動リンク３７が、互いにそれぞれの前後方向の移動及び前後方向の傾きを規制している。即ち、第１及び第２の装飾部材３１，３２，主動リンク３６，従動リンク３７が、遊技板１１と平行な可動面内でのみ移動を許容され、可動面から外れる方向への移動を規制されている。
【００４２】
また、第３装飾部材３３及び反転リンク４１は、第２脚部３４Ｂを挟んで重ねられ、第２脚部３４Ｂに形成された第３装飾部材３３の回転中心を中心とする円弧状の係合溝Ｗ５に第３装飾部材３３と反転リンク４１とを連結する回転支持軸体Ｐ７が係合している。さらに、昇降部材３５と第２装飾部材３２とは、第１脚部３４Ａを挟んで重ねられ、第１脚部３４Ａに形成された第３装飾部材３３の回転中心を中心とする円弧状の係合溝Ｗ４に昇降部材３５と第２装飾部材３２とを連結する回転支持軸体Ｐ２が係合している。また、図６に示すように、第２脚部３４Ｂの上部には、主動リンク３６の回転中心を中心とする円弧状の係合溝Ｗ９が形成されて、そこに主動リンク３６から突出する係合軸体Ｖ９が係合している。これらにより、第２装飾部材３２，第３装飾部材３３，主動リンク３６が、固定ベース３４に対する前後方向の移動及び傾きを規制されている。
【００４３】
図７に示すように、可動役物３０には、第１〜第３の装飾部材３１，３２，３３の動作をさらに安定させるために、第１と第２の支持従動部材４２，４３とが設けられている。第１支持従動部材４２は、第１脚部３４Ａの上下方向の略中央部に回転支持軸体Ｐ１１にて回転可能に支持されている。また、第１支持従動部材４２は、第１装飾部材３１と平行の一定幅の帯板状をなし、途中部分が他の部品との干渉回避のためにクランク状に緩やかに屈曲している。そして、第１支持従動部材４２の先端側の直線部分に係合溝Ｗ８が形成され、前述した第１装飾部材３１から突出する係合軸体Ｖ２が係合溝Ｗ８に係合している。具体的には、図９（Ｂ）に示すように、係合軸体Ｖ２は、第１装飾部材３１から突出して、従動リンク３７の係合溝Ｗ２と第１支持従動部材４２の係合溝Ｗ８とを貫通する支柱１２０の先端にフランジ１２１Ｆ付きビス１２１を装着してなる。その支柱１２０には、第１装飾部材３１と従動リンク３７との間に挟まれたワッシャ１２２と、従動リンク３７と第１支持従動部材４２とに挟まれたフランジ１１０Ｆを有しかつ、係合溝Ｗ２に嵌合したカラー１１０と、ビス１２１のフランジ１２１Ｆと第１支持従動部材４２とに挟まれたフランジ１１０Ｆを有しかつ、係合溝Ｗ８に嵌合したカラー１１０とが嵌合されている。
【００４４】
そして、第１支持従動部材４２は、第１及び第２の装飾部材３１，３２の前述の可動面内の移動範囲を制限せずに、第１及び第２の装飾部材３１，３２から動力を受けて従動すると共に、第１及び第２の装飾部材３１，３２の可動面から外れる方向への移動を規制する。これにより、第１及び第２の装飾部材３１，３２の動作が安定する。
【００４５】
第２支持従動部材４３は、第２脚部３４Ｂのうち第３装飾部材３３を回転中心（図７の符号Ｐ５参照）の下方位置に回転支持軸体Ｐ１２にて回転可能に支持され、第２脚部３４Ｂのうち第３装飾部材３３の反対側の面に重ねて配置されている。また、第２支持従動部材４３は、先端に向かうに幅狭になる板状をなしている。そして、第２支持従動部材４３の先端側の直線部分に係合溝Ｗ７が形成され、第３装飾部材３３から突出する係合軸体Ｖ７が係合溝Ｗ７に係合している。また、第２支持従動部材４３の基端部には、回転支持軸体Ｐ１２を中心とする円弧状の係合溝Ｗ６が形成され、その係合溝Ｗ６に第２脚部３４Ｂから突出した係合軸体Ｖ６が係合している。係合軸体Ｖ６，Ｖ７と係合溝Ｗ６，Ｗ７との係合構造は、係合軸体Ｖ１と係合溝Ｗ１との係合構造と同様になっている。
【００４６】
この構成により第２支持従動部材４３が、第３装飾部材３３の可動面から外れる方向への移動を規制されて、第３装飾部材３３の動作が安定する。
【００４７】
このように本実施形態の遊技機１０では、第１及び第３の装飾部材３１，３３が、第１及び第２の支持従動部材４２，４３なしでも固定ベース３４を含む他の部材（従動リンク３７，第２装飾部材３２等）によって可動面から外れる方向への移動を規制されているが、それらに加え、第１及び第２の支持従動部材４２，４３が、第１及び第３の装飾部材３１，３３の可動面から外れる方向への移動を規制している。これにより、第１及び第３の装飾部材３１，３３の動作が安定する。また、第１支持従動部材４２を備えたことで、第１装飾部材３１に動力を伝達する主動リンク３６や、第１装飾部材３１の可動面内の姿勢を規制する従動リンク３７への負荷、及び、第１装飾部材３１と主動リンク３６と従動リンク３７を連結する連結部の負荷が軽減される。さらに、第１支持従動部材４２は、第１装飾部材３１と従動リンク３７の両方に連結されているので、第１支持従動部材４２により従動リンク３７が可動面から外れる方向に移動することも規制される。
【００４８】
また、第２支持従動部材４３は、その回転半径方向の２箇所で回転軸方向への移動を規制されているので、固定ベース３４による第２支持従動部材４３の支持強度が向上し、第３装飾部材３３に対する支持強度も向上して第３装飾部材３３の動作が一層安定する。
【００４９】
［他の実施形態］
本発明は、前記実施形態に限定されるものではなく、上記以外にも要旨を逸脱しない範囲内で種々変更して実施することができる。
【００５０】
（１）前記第１実施形態で第１支持従動部材４２のみで第１装飾部材３１の可動面から外れる方向への移動を規制していたが、複数の支持従動部材にて１つの可動部材が可動面から外れる方向への移動を規制してもよい。そのようにすれば、可動部材の動作がより一層安定する。
【００５１】
（２）前記第１実施形態では、回転可能に支持された第１装飾部材３１，３３を、回転可能に支持された第１及び第２の支持従動部材４２，４３で支持していたが、回転可能に支持された可動部材を、直動可能に支持された支持従動部材によって支持してもよい。また、直動可能に支持された可動部材を、回動可能に支持された支持従動部材によって支持してもよい。
【００５２】
（３）前記第１実施形態では、第１〜第３の装飾部材３１，３２，３３の直線状でかつ平坦の外縁部（側面）が重なり合うように合体する構成になっていたが、合体する外縁部は、上下左右方向、及び又は、前後方向で凹凸形状をなしていてもよい。
【００５３】
＜付記１＞
上記実施形態及び上記他の実施形態で例示した遊技機には、以下の構成が含まれていると考えることができる。
【００５４】
［構成１］
ベース部材に支持されて駆動源から動力を受けて第１可動面内を移動する第１可動部材と、前記ベース部材に支持され、前記第１可動部材から動力を受けて従動する支持従動部材とを備え、
前記支持従動部材は、前記第１可動部材の前記第１可動面から外れる方向への移動を規制する遊技機。
【００５５】
構成１の遊技機では、支持従動部材が、第１可動部材の第１可動面から外れる方向への移動を規制することで、第１可動部材の動作が安定する。
【００５６】
［構成２］
前記支持従動部材は、前記第１可動部材の前記第１可動面内の移動範囲を制限しないように前記第１可動部材に連結されている請求項１に記載の遊技機。
【００５７】
構成２の遊技機では、支持従動部材の負荷が軽減される。
【００５８】
［構成３］
前記第１可動部材は、前記支持従動部材なしでも前記ベース部材を含む他の部材によって前記第１可動面から外れる方向への移動が規制される請求項１又は２に記載の遊技機。
【００５９】
構成３の遊技機では、第１可動部材は、支持従動部材なしでもベース部材を含む他の部材によって第１可動面から外れる方向への移動を規制されることで、第１可動部材の動作が安定する。
【００６０】
［構成４］
前記ベース部材に支持され、前記第１可動部材から動力を受けて従動すると共に、
前記第１可動部材の前記第１可動面内の移動範囲を制限するように前記第１可動部材に連結されている制限従動部材を備える請求項１乃至３の何れか１の請求項に記載の遊技機。
【００６１】
構成４の遊技機では、支持従動部材により第１可動部材の第１可動面内の移動範囲を制限する制限従動部材への負荷が軽減される。
【００６２】
［構成５］
前記支持従動部材は、前記第１可動部材と前記制限従動部材の両方に連結されて、それら第１可動部材及び制限従動部材の前記第１可動面から外れる方向への移動を規制する請求項４に記載の遊技機。
【００６３】
構成５の遊技機では、支持従動部材が、第１可動部材と制限従動部材の両方に連結されて、それらが第１可動面から外れる方向に移動することを規制するので制限従動部材の動作も安定する。
【００６４】
［構成６］
前記第１可動部材は、複数の第１可動構成部材を中間連結部にて連結してなり、
前記中間連結部は、前記第１可動構成部材同士を、互いに前記第１可動面から外れる方向への移動を規制した状態に連結している請求項１乃至５の何れか１の請求項に記載の遊技機。
【００６５】
構成６の遊技機では、支持従動部材により第１可動部材が、第１可動面から外れる方向への移動を規制されているので、その第１可動部材を構成する複数の第１可動構成部材同士の中間連結部の負荷が軽減され、第１可動部材の動作が安定する。
【００６６】
［構成７］
前記複数の第１可動構成部材を連結してなる前記第１可動部材が、前記ベース部材のうち互いに離れた２つの支持部の間に架橋されている請求項６に記載の遊技機。
【００６７】
構成７の遊技機では、複数の第１可動構成部材を連結してなる第１可動部材の途中部分の第１可動面から外れる方向への移動が規制される。
【００６８】
［構成８］
複数の前記支持従動部材が共通の前記第１可動部材に連結されている請求項１乃至７の何れか１の請求項に記載の遊技機。
【００６９】
構成８の遊技機では、複数の支持従動部材が協働して共通の第１可動部材が第１可動面から外れる方向に移動することを規制する、第１可動部材の支持が強固になり、第１可動部材の動作がより一層安定する。
【００７０】
［構成９］
複数の前記第１可動部材が、共通の前記支持従動部材に連結されている請求項１乃至８の何れか１の請求項に記載の遊技機。
【００７１】
構成９によれば、支持従動部材の有効利用が図られる。
【００７２】
［構成１０］
前記支持従動部材は、前記ベース部材に回転可能に支持されると共に、その回転半径方向に離れた複数箇所で、前記ベース部材により回転軸方向への移動を規制されている請求項１乃至９の何れか１の請求項に記載の遊技機。
【００７３】
構成１０の遊技機では、支持従動部材が回転可能に支持され、その回転半径方向に離れた複数箇所で回転軸方向への移動を規制されているので、支持従動部材の支持強度が向上し、第１可動部材に対する支持強度も向上して第１可動部材の動作が一層安定する。
【００７４】
［構成１１］
前記第１可動部材及び前記支持従動部材は、前記ベース部材に回転可能に支持されると共に、それら第１可動部材及び支持従動部材の回転中心軸が異なる位置に配置されている請求項１乃至１０の何れか１の請求項に記載の遊技機。
【００７５】
構成１１の遊技機では、第１可動部材の回転動作に連動してそれとは異なる回転中心の周りに支持従動部材が回転して、第１可動部材の第１可動面から外れる方向への移動を規制する。これにより、第１可動部材の第１可動面内での動作を安定させることができる。
【００７６】
［構成１２］
前記第１可動部材は、前記ベース部材に直動可能に支持される一方、前記支持従動部材は、前記ベース部材に回転可能に支持されている請求項１乃至１０の何れか１の請求項に記載の遊技機。
【００７７】
構成１２の遊技機では、第１可動部材の直動動作に連動して支持従動部材が回転して、第１可動部材の第１可動面から外れる方向への移動を規制する。これにより、第１可動部材の第１可動面内での動作を安定させることができる。
【００７８】
［構成１３］
前記第１可動部材は、前記ベース部材に回転可能に支持される一方、前記支持従動部材は、前記ベース部材に直動可能に支持されている請求項１乃至１２の何れか１の請求項に記載の遊技機。
【００７９】
構成１３の遊技機では、第１可動部材の回転動作に連動して支持従動部材が直動して、第１可動部材の第１可動面から外れる方向への移動を規制する。これにより、第１可動部材の第１可動面内での動作を安定させることができる。
【００８０】
なお、上記付記１における［構成］中の下記構成要素には、上記実施形態中の下記部位が以下の如く対応する。
ベース部材：固定ベース３４、
第１可動部材：第１〜第３の装飾部材３１，３２，３３，主動リンク３６、従動リンク３７、
第１可動構成部材：第１装飾部材３１，主動リンク３６，従動リンク３７
中間連結部：回転支持軸体Ｐ８，係合溝Ｗ１，Ｗ２，係合軸体Ｖ１，Ｖ２
支持従動部材：第１及び第２の支持従動部材４２，４３
制限従動部材：従動リンク３７
【００８１】
＜付記２＞
前記付記１とは別の観点で、上記実施形態及び上記他の実施形態で例示した遊技機には、以下の構成が含まれていると考えることもできる。
【００８２】
［構成２１］
遊技領域を上下左右から包囲する第１〜第４の外縁部のうちの少なくとも３つの外縁部にそれぞれ分かれて待機し、予め定められた演出開始条件の成立に起因して、前記遊技領域の前方で合体する第１〜第３の合体演出部材を備える遊技機。
【００８３】
構成２１の遊技機によれば、斬新な可動演出を行うことができる。
【００８４】
［構成２２］
全ての前記合体演出部材が略同時に合体して合体と共に停止する構成２１に記載の遊技機。
【００８５】
構成２２の遊技機によれば、特別なイベントを想起させて、遊技者の気持ちを高揚させることができる。
【００８６】
［構成２３］
前記演出開始条件の成立に起因して、少なくとも第１と第２の合体演出部材が前記遊技領域の前側に移動して互いに離間した状態で停止する準備段階を前記合体の前に行う構成２２に記載の遊技機。
【００８７】
構成２３の遊技機では、準備段階を設けたことにより、遊技者の気持ちを徐々に高揚させることができる。
【００８８】
［構成２４］
前記第１から第３の合体演出部材の合体面は、前後方向に途中位置に段差面を有する凹凸形状をなし、互いに合体する前記合体面の凹凸形状の突部同士が前後方向で重なる構成２１乃至２３の何れか１の構成に記載の遊技機。
【００８９】
構成２４の遊技機によれば、合体時の合体演出部材同士の一体感を高めることができる。
【００９０】
なお、上記付記２における［構成］中の下記構成要素には、上記実施形態中の下記部位が以下の如く対応する。
第１〜第３の合体演出部材：第１〜第３の装飾部材３１〜３３
【００９１】
＜付記３＞
前記付記１，２とは別の観点で、上記実施形態及び上記他の実施形態で例示した遊技機には、以下の構成が含まれていると考えることもできる。
【００９２】
［構成３１］
第１可動部材の２箇所に第１及び第２のアームの先端部が回転可能に連結される共に、前記第１及び第２のアームの基端部が、支持部材の２箇所に回転可能に連結され、
前記第１アームが回転駆動されて、それに従動して前記第１可動部材及び前記第２アームが動作するリンク機構を有する遊技機であって、
前記支持部材は、前記第１アームが回転可能に連結された第１支持部材と、前記第２アームが回転可能に連結されると共に、前記第１支持部材に対して第１位置と第２位置との間を移動する第２支持部材とで構成されている遊技機。
【００９３】
構成３１の遊技機によれば、第２支持部材の位置を第１位置と第２位置とに変更することで、第１可動部材の位置を大きく変更することができる。
【００９４】
［構成３２］
前記第２支持部材が前記第２位置に配置された状態では、前記第１アームが回転駆動されたときに前記第１可動部材が略平行に移動する構成３１に記載の遊技機。
【００９５】
構成３２の遊技機によれば、第１可動部材を略平行に移動する可動演出を行うことができると共に、第１可動部材を略平行に移動する不可能な位置に待機させておくこともできる。
【００９６】
［構成３３］
前記第１可動部材及び前記第２支持部材は、共に長尺状をなし、
前記第２支持部材が前記第２位置に配置されると、前記第１可動部材と前記第２支持部材とが略平行に延びた状態になる一方、前記第２支持部材が前記第１位置に配置されると、前記第１可動部材と前記第２支持部材とが略直交した状態になる構成３１又は３２に記載の遊技機。
【００９７】
構成３３の遊技機では、第２支持部材が第１位置に配置されると、第１可動部材と第２支持部材とが略直交した状態になるので、それら略直交した第１可動部材と第２支持部材との内側に広い空間が確保され、そこで別の演出（例えば、表示演出、別の可動部材の可動演出等）を行うことができる。
【００９８】
［構成３４］
前記第２支持部材が前記第２位置に配置された状態で、前記第１アームが回転駆動されて、前記第１可動部材の外縁部の一部と前記第２支持部材の外縁部の一部とが重なった状態に合体する構成３３に記載の遊技機。
【００９９】
構成３４の遊技機では、離間していた２つの部材を合体させる可動演出を提供することができる。
【０１００】
［構成３５］
前記第１支持部材に支持されて原点位置と作動位置との間を移動するように駆動される第２可動部材を備え、
前記第２支持部材の外縁部の一部と前記第１可動部材の外縁部の一部とが重なるときに、前記第１可動部材の外縁部の別の一部に、前記作動位置に移動した前記第２可動部材の長尺の外縁部の一部が重なる構成３４に記載の遊技機。
【０１０１】
構成３５の遊技機では、離間していた３つの部材を合体させる可動演出を提供することができる。
【０１０２】
なお、上記付記３における［構成］中の下記構成要素には、上記実施形態中の下記部位が以下の如く対応する。
第１可動部材：第１装飾部材３１、  第２可動部材：第３装飾部材３３
第１アーム：主動リンク３６、      第２アーム：従動リンク３７、  
第１支持部材：固定ベース３４      第２支持部材：第２装飾部材３２
【０１０３】
＜付記４＞
前記付記１，２，３とは別の観点で、上記実施形態及び上記他の実施形態で例示した遊技機には、以下の構成が含まれていると考えることもできる。
【０１０４】
［構成４１］
遊技領域を挟んで対向する第１と第２の支持部と、
前記第１の支持部に回動可能に支持されて、回動中心より上方に起立した待機位置で通常は待機する第１部材と、
前記第２の支持部のうち前記第１部材の回動中心より高い位置に回動可能に支持されて、回動中心より下方に垂下した待機位置に通常は待機する第２部材とを備え、
予め定められた演出開始条件の成立に起因して、前記第１部材が前記遊技領域の前方に重なる作動位置まで下方に回動する一方、前記第２部材が前記遊技領域の前方に重なる作動位置まで上方に回動して、前記第１部材の先端部と前記第２部材の先端部とが前記遊技領域の前方で突き合わされるか又は合体する可動演出を行う遊技機。
【０１０５】
構成４１の遊技機によれば、斬新な可動演出を行うことができる。
【０１０６】
なお、上記付記４における［構成］中の下記構成要素には、上記実施形態中の下記部位が以下の如く対応する。
第１の支持部：第２脚部３４Ｂ、  第１部材：第２装飾部材３２
第２の支持部：第１脚部３４Ａ、  第２部材：第３装飾部材３３
【符号の説明】
【０１０７】
１０    遊技機
２３    装飾枠
３１    第１装飾部材
３２    第２装飾部材
３３    第３装飾部材
３４    固定ベース
３６    主動リンク
３７    従動リンク
４２    第１支持従動部材
４３    第２支持従動部材
【図１】
2019037530.tif 000003
【図２】
2019037530.tif 000004
【図３】
2019037530.tif 000005
【図４】
2019037530.tif 000006
【図５】
2019037530.tif 000007
【図６】
2019037530.tif 000008
【図７】
2019037530.tif 000009
【図８】
2019037530.tif 000010
【図９】
2019037530.tif 000011